(57)【要約】【課題】本発明は、簡単な一般的な構造だけで、渡り部材が貫通するトランクの貫通部分に高いシール性をもたらせるバス車両のトランク防水構造を提供する。【解決手段】本発明のトランク防水構造は、トランク４の側壁６ａに貫通させて水密的に固定した、当該側壁を境に外部とトランクの内部とにそれぞれ開口する一対の開口部１８ａ、１８ｂを有し、内部に渡り部材１０，１１が挿通される筒形の挿通部品１６と、挿通部品の開口部にそれぞれ設けられ、当該開口部における渡り部材の周りの隙間を覆い、外部からトランクへの水の侵入を抑える侵入抑制プレート２５，２６とを有して構成した。これにより、たとえ外部からの水が一重目のシールを通過しても、一重目のシールと二重目のシールとの間は隔てられているから、二重目のシールへは行き届き難くなる。たとえ行き届いたとしても、二重目のシールによりトランク内部への水の侵入が抑えられるから、特殊な部品、特殊な部品、特殊な構造を用いずに、貫通部分に高いシール性が確保される。【選択図】図３
2012131322.tif 000002
【特許請求の範囲】
【請求項１】
バス車両に設けられ車両前後方向が側壁によって外部と仕切られたトランクと、同トランクの車両前後方向を仕切る側壁を車両前後方向から貫通して組み付けられた複数の渡り部材とを有し、
前記渡り部材が貫通する前記側壁の貫通部分に、外部からの水の侵入を防ぐ侵入防止構造を設けて構成されるバス車両のトランク防水構造において、
前記侵入防止構造は、
前記側壁に貫通させて水密的に固定され、前記側壁を境に外部と前記トランクの内部とにそれぞれ開口する一対の開口部を有し、前記渡り部材が前記一対の開口部を通って内部に挿通される筒形の挿通部品と、
前記挿通部品の開口部にそれぞれ設けられ、当該開口部における前記渡り部材の周りの隙間を覆い、外部からトランクへの水の侵入を抑える侵入抑制プレートと
を有して構成されることを特徴とするバス車両のトランク防水構造。
【請求項２】
前記挿通部品の底部は、前記挿通部品の内部へ侵入した水を前記トランクとは反対側となる外部側の侵入抑制プレートへ導くよう、前記トランクから離れるにしたがい下る傾斜面を有して形成され、
外部側の前記侵入抑制プレートは、前記傾斜面で導かれた水を外部へ排出する排出部を有している
ことを特徴とする請求項１に記載のバス車両のトランク防水構造。
【請求項３】
前記複数の渡り部材は、前記トランクの側壁の上段に配置され車幅方向に沿って所定に並んだハーネスや配管の部材群であり、
前記筒形の挿通部品は、前記ハーネスや配管の部材群を挿通させる箱形の部材から構成され、
前記侵入抑制プレートは、前記ハーネスや配管の通る部分を開口させたラバー製のプレートから構成される
ことを特徴とする請求項１または請求項２に記載のバス車両のトランク防水構造。
【発明の詳細な説明】
【技術分野】
【０００１】
本発明は、渡り部材が貫通するトランクの側壁の貫通部分における水の侵入を防ぐバス車両のトランク防水構造に関する。
【背景技術】
【０００２】
路線バスや観光バスなどバス車両は、前・後輪間の床下に荷物を収めるトランクが設けられている。
こうしたバス車両は、車体に多くの機器が点在、例えば車体のフロント側にデフロスタモジュールが搭載されたり、リヤ側にエンジンが搭載されたり、トランクと隣接した床下に空調ユニットが搭載されたりするため、特許文献１にも開示されているようにバス車両の床下には、各機器などとにつながるハーネスや配管など車両前後方向を通る渡り部材が数多く設けられる。
このため、床下を占めるトランクには、数多くの渡り部材が、車両前後方向の壁部を貫通しながら天井面を沿うように組み付けられる。
【０００３】
ところで、トランクのうち、最前部や最後部の地点に配置された壁部（車両前後方向を仕切る壁部）は、車両外部に臨む部分となる。このため、バス車両の雨天走行などでは、水が外部から、渡り部材の貫通する壁部分（貫通部分）の隙間を通じて、トランクの内部へ侵入するおそれがある。
【０００４】
そこで、トランクの渡り部材が貫通する貫通部分には、こうした外部からトランク内への水の侵入を防ぐ侵入防止構造を設けることが行われている。一般には、一重のシール部材を用いて貫通部分を個別にシールする。しかし、渡り部材の多くは、断面形状が異なったり、断面の大きさが異なったり、並びがまちまちであったりするなどのため、高いシール性が得られにくく、多くは特殊な部品や部材、特殊な構造を多用して、高いシール性を確保している。
【先行技術文献】
【特許文献】
【０００５】
【特許文献１】特開平５−１３１８８４号公報
【発明の概要】
【発明が解決しようとする課題】
【０００６】
ところが、こうした特殊な部品、特殊な部材、特殊な構造を用いると、高いシール性は確保されるものの、反面、シール構造が複雑になったり、コスト的な負担が強いられたりする問題がある。バス車両も、他の車両と同様、複雑な構造により作業工数が増加したり、特殊な部品や部材の使用によりコストが増加したりするのを避けることが求められ（できる限り工数やコストを抑えるため）、この点の改善が要望されている。
【０００７】
そこで、本発明の目的は、簡単な一般的な構造だけで、渡り部材の貫通するトランクの貫通部分に高いシール性がもたらせられるバス車両のトランク防水構造を提供することにある。
【課題を解決するための手段】
【０００８】
請求項１の発明は、上記目的を達成するために、トランクの渡り部材が貫通する貫通部分における水の侵入防止構造は、トランクの側壁に貫通させて水密的に固定した、当該側壁を境に外部とトランクの内部とにそれぞれ開口する一対の開口部を有し、内部に渡り部材が挿通される筒形の挿通部品と、挿通部品の開口部にそれぞれ設けられ、当該開口部における渡り部材の周りの隙間を覆い、外部からトランクへの水の侵入を抑える侵入抑制プレートとを有して構成した。
【０００９】
同構成によると、渡り部材を挿通させる筒形の挿通部品と、同挿通部品の開口部における隙間を覆う侵入抑制プレートという、簡単な部品の組み合わせがもたらす二重シール構造により、外部の水が一重目のシールを通過しても、一重目のシールと二重目のシールとの間は隔てられているから、二重目のシールへは行き届き難くなる。たとえ行き届いたとしても、二重目のシールによりトランク内部への水の侵入は抑えられる。これにより、特殊な部品、特殊な部材、特殊な構造を用いずに、高いシール性は確保される。
【００１０】
請求項２の発明は、上記目的に加え、挿通部品の内部の水がトランク内へ向うのを抑えるために、挿通部品の底部を、挿通部品内へ侵入した水をトランクとは反対側となる外部側の侵入抑制プレートへ導くよう、トランクから離れるにしたがい下る傾斜面を有して形成し、外部側の侵入抑制プレートは、傾斜面で導かれた水を外部へ排出する排出部を有するものとした。
請求項３の発明は、上記目的に加え、特に簡単な構造ですむよう、筒形の挿通部品を、ハーネスや配管の部材群を挿通させる箱形の部材から構成し、侵入抑制プレートを、ハーネスや配管の通る部分を開口させたラバー製のプレートから構成した。
【発明の効果】
【００１１】
請求項１の発明によれば、筒形の挿通部品、侵入抑制プレートといった簡単な部品の組み合わせがもたらす二重のシール構造により、たとえ外部の水が一重目のシールを通過しても、一重目のシールと二重目のシールとの間は隔てられているので、二重目のシールへは行き届き難くなる。しかも、たとえ行き届いたとしても、二重目のシールによりトランク内部への水の侵入は抑えられる。
したがって、特殊な部品、特殊な部材、特殊な構造を用いず、筒形の挿通部品に侵入抑制プレートを設けるという簡単な一般的の構造だけで、渡り部材の貫通するトランクの貫通部分に高いシール性を確保することができる。
【００１２】
請求項２の発明によれば、挿通部品内へ侵入した水は、同部品の底部の傾斜面で誘導されて、外部側の侵入抑制プレートの排出部から外部へ排出されるから、内部に侵入した水はトランク内へ向わずにすむ。これにより、トランク側の侵入抑制プレートの負担は抑えられ、一層、水の侵入から効果的にトランクを守ることができる。しかも、一般的な簡単な構造ですむ。
請求項３の発明によれば、より簡単、かつコスト的な安価な一般部品の組み合わせで、トランク内への水の侵入を防ぐことができる。
【図面の簡単な説明】
【００１３】
【図１】本発明の一実施形態に係るバス車両のトランクを、バス車両の全体や同バス車両の前後方向に沿って配設された渡り部材と共に示す斜視図。
【図２】渡り部材が通るトランクの車両前後方向前側の貫通部分におけるシール構造を示す斜視図。
【図３】図２中の断面Ａ−Ａ線に沿う渡り部材の貫通部分のシール構造を示す断面図。
【図４】図２中の矢視Ｂから見た挿通部品の端側を示す斜視図。
【図５】貫通部分のシール構造を分解して示す分解斜視図。
【図６】同シール構造の組み立てを説明する断面図。
【発明を実施するための形態】
【００１４】
以下、本発明を図１ないし図６に示す一実施形態にもとづいて説明する。
図１は、バス車両、例えば観光バスの全体を、その車幅方向中央に車両前後方向を沿って通る渡り部材と共に示し、図２は同渡り部材の貫通するトランクの側壁の防水構造を示し、図３〜図６は同防水構造の各部をそれぞれ示している。
【００１５】
図１に示す観光バス（以下、単にバスという）を説明すると、図中１は車両前後方向に延びた箱形の車体を示す。この車体１の床１ａの下、例えばバスの前輪２ａと後輪２ｂ間の床下部分には、図１および図２に示されるようにシャシフレーム３（車体１を下側から支えるフレーム）を構成しているセンタフレーム３ａの複数の縦壁形のクロスメンバ部材３ｂ（車幅方向に延びる部材）間のスペースを活用して、トランク４（荷物を収める室）が形成されている。
【００１６】
具体的には図２に示されるようにトランク４は、床１ａを天井とし、クロスメンバ部材３ｂの下端部間をつなぐように設けたプレート部材５ａを底部とし、前・後輪２ａ、２ｂ間で所定の間隔で配置されたクロスメンバ部材３ｂを側壁６ａ〜６ｃとしている。さらに最前・後に位置するクロスメンバ部材３ｂの開口は、同部材３ｂの側面に設けたプレート部材５ｂで覆われていて、外部と隔絶した箱形の空間、すなわちトランク４を形成している。ちなみに中央の側壁６ｂは、トランク４内部を仕切る壁をなす。なお、例えばトランク４の車幅方向両側部は開口していて、図示しないリッドで開閉される。
【００１７】
車体１の各部には、図１に示されるように多くの機器が設けられている。図示はしないが例えば車体１のフロント側には、デフロスタモジュールなどが搭載されたり、トランク４と前輪２ａとの間には空調ユニット７が搭載されたり、車体１のリヤ側にはエンジン８や同エンジン８で駆動される空調ユニット駆動用のコンプレッサ９などが搭載されたりしている。
【００１８】
また図１に示されるように車体１の床下、例えば車幅方向中央には、車両の前後方向を渡る渡り部材として、例えば制御に用いるハーネスの束１０、空調に用いる温水配管やその他の機器に用いる配管など配管群１１が挿通されている。つまり、ハーネスの束１０や配管群１１は、トランク４の側壁６ａ〜６ｃの天井側を貫通しながら、車両前後方向を挿通している。これら車体１の床下のハーネスの束１０や配管群１１は、図２に示されるように車幅方向沿いに所定に並び、これら各ハーネス、配管が車体１に点在した各機器、すなわちフロント側に配置された各機器、リヤ側に配置された各機器などとつながり、車両搭載機器の制御や運転が行えるようにしている。
【００１９】
ここで、トランク４の側壁６ａ〜６ｃのうち、最も車両前後方向外側に配置された側壁６ａ，６ｃは、外部と臨むので、渡り部材の貫通する貫通部分には、外部からの水の侵入を防ぐことが求められる。このため、同渡り部材の貫通部分には、それぞれ防水構造が施される。防水構造には、外部からトランク４内への水の侵入を防ぐ侵入防止構造１５ａ，１５ｂが用いられる。このうち、空調ユニット７と隣接した側壁６ａで用いられる侵入防止構造１５ａには、一般的な構造で水の侵入を防ぐ構造が採用されている。この侵入防止構造１５ａの採用は、バスの雨天走行時などの際、前輪２ａの巻き上げる水の影響が、空調ユニット７が途中に配置されることにより少なく、一般的な構造で対応しやすいということもある。ちなみに、後輪２ｂと隣接して配置される側壁６ｃに施される侵入防止構造１５ｂは、水の影響が大きいため、ここでは図示はしないが、特殊グロメットなどを組み合わせた特殊構造が用いてある。
【００２０】
一般的な構造で構成される侵入防止構造１５ａは、図２〜図６に示されるようにハーネスの束１０、各種配管のなす配管群１１（いずれも渡り部材）を挿通させる筒形の挿通部品１６と、同部品１６端においてハーネスの束１０、配管群１１の周りの隙間を覆うラバー製のプレート２５，２６（以下、ラバープレート２５，２６という：本願の侵入抑制プレートに相当）とを組み合わせた二重シール構造が用いられる。ちなみにラバープレート２５，２６はラバー部材よりなるプレートをいう。
【００２１】
具体的には挿通部品１６は、図２、図３、図５および図６に示されるように車幅方向に並んだハーネスの束１０、配管群１１が一度に挿通可能な箱形の部材、例えば角筒形部材から構成されている。すなわち角筒形部材は、例えば板金を角筒形に折り曲げた扁平な所定長さの本体部１７をもつ。また本体部１７の両端は一対の開口部１８ａ，１８ｂを有し、さらに一方の端部は固定するための取付部１９となっている。ここで、側壁６ａをなすクロスメンバ部材３ｂの上段には、図５に示されるようにシャシフレーム３のサイドフレーム３ｃや各種メンバ部材３ｄを組み合わせてなる枠形の設置部２０が形成されている。そして、この設置部２０を用いて本体部１７を側壁６ａに組み付けている。
【００２２】
すなわち挿通部品１６は、図５および図６に示されるように角形の取付部１９（一端部）をトランク４外から設置部２０内へ嵌挿し（差し込み）、水漏れのないよう固定、例えば溶接やシール材（図示しない）を用いて、取付部１９と設置部２０間の各部を水密に固定することによって、渡り部材が貫通する側壁６ａの地点（上段）に水密的に組み付けられている。つまり、挿通部品１６は、全体が側壁６ａの車両前後方向を貫通し、一対の開口部１８ａ，１８ｂが、側壁６ａを境にそれぞれ外部（トランク４外）とトランク４の内部に開口するように組み付く。
【００２３】
また図５および図６に示されるように取付部１９を除く本体部１７の上部壁分には、作業用の開口部２１が形成されている。ハーネスの束１０や配管群１１は、この開口部２１からの作業によって、側壁６ａに本体部１７を組み付けたまま本体部１７に挿通させ、側壁６ａを貫通させている。作業用の開口部２１は蓋部２２で塞がれる。２２ｂは同蓋部２２を本体部１７に固定するねじ止め具（固定具）の一部のナット部材を示している。なお、外部（トランク４外）に開口する開口部１８ａは、挿通する渡り部材の斜めの向きに合わせて斜めに開口させてある。
【００２４】
図２，図３，図５および図６に示されるようにラバープレート２５，２６のうち、外部（トランク４外）に開口する開口部１８ａに配置されるラバープレート２５の外形は、開口部１８ａの開口形状に応じた形状で形成してある（角形）。また同プレート２５のうちハーネスの束１０や配管群１１の通る部分は開口させてある。具体的には、ハーネスの束１０や配管群１１の通る板面部分には、ハーネスの束１０や配管群１１の外形形状に合わせた各種外形のシール用開口２７が形成されている（図５）。さらに板面部分には、同開口２７にハーネスの束１０や配管群１１の配管類を通すためのスリット２７ａも形成されている（図５）。
【００２５】
このラバープレート２５の各種シール用開口２７に、ハーネスの束１０や配管群１１が挿通される。このラバープレート２５の縁部、例えば上下縁部（辺部）が、固定手段、例えば押え具２８ａや止め具２８ｂより、開口部１８ａの上下開口縁に形成されるフランジ１８ｃに固定され（図３）、ラバープレート２５を開口部１８ａに組み付けている。これにより、ハーネスの束１０や配管群１１の外周面は、ラバープレート２５に形成された各種シール用開口２７の開口縁と密接し、ラバープレート２５の縁部は開口縁と密接し、ハーネスの束１０、配管群１１の周りの隙間はラバープレート２５にて覆われる（図３）。つまり、ラバープレート２５にて、貫通部分の外側はシールされる（一重目のシール）。
【００２６】
残るトランク４内に開口する開口部１８ｂに配置されるラバープレート２６は、図３〜図６に示されるように同開口部１８ｂの開口形状に応じた外形をもつ。ラバープレート２６のうちハーネスの束１０や配管群１１が通る部分には、ハーネスの束１０の外形形状に合わせた溝形のシール用開口３０、配管群１１の外形形状に合わせた通孔形のシール用開口３１ａや同配設に合わせた溝形のシール用開口３１ｂなどが形成されている（図５）。
【００２７】
このラバープレート２６の例えば上縁部の両側だけが、固定手段、例えば押え具３３ａや止め具３３ｂにより、開口部１８ｂの直上に有するメンバ部材３ｄの側面に固定される。そして、ラバープレート２６の下端部を本体部１７の底面に密接させている。このラバープレート２６の各種シール用開口３０，３１ａ，３１ｂに、ハーネスの束１０や配管群１１が挿通され、ラバープレート２６にて、ハーネスの束１０、配管群１１の周りの隙間を覆っている。つまり、ラバープレート２６にて、貫通部分の内側はシールされる（二重目のシール）。
【００２８】
図２、図３、図５、図６に示されるように本体部１７の底部、具体的には取付部１９を除く底壁の全体は、トランク４とは反対側の方向、ここでは車両前方へ下るように傾斜している。つまり、本体部１７の底部は、トランク４から離れるにしたがい下る傾斜面３５で形成してある。この傾斜面３５にて、一重目のシールを通して本体部１７の内部へ侵入した水が、トランク４とは反対側となるラバープレート２５（開口部１８ａ側）へ導ける構造にしている。また押え具２８ａで押えられるラバープレート２５の下部には、傾斜面３５で導かれる水を外部へ排出するための排出部３７が形成されている（図３）。同排出部３７は、ラバープレート２５に形成されているスリット２７ａ（ラバープレート２５にハーネスの束１０や配管類を通すためのスリット）の隙間で形成され、同スリット２７ａの隙間から水が外部に排出される構造となっている。もちろん、排出部３７は他の構造でも形成しても構わない。
【００２９】
また図３および図４に示されるように開口部１８ｂの下縁部からは、ラバープレート２６の下部外側の板面と重なり合うよう、フランジ１８ｄが突き出ている。このフランジ１８ｄがラバープレート２６の下端部の動きを規制し、本体部１７内に侵入した水が、ラバープレート２６から流出するのを抑える。と共にフランジ１８ｂは土手の役割も果たしている。
【００３０】
こうした水の侵入を防ぐ構造は、図６に示されるように側壁６ａに本体部１７を組み付けた後、作業用の開口部２１を用いて、本体部１７内にハーネスの束１０、配管群１１を貫通させる。そして、ハーネスの束１０や各種配管を所定に整列させて固定（いずれも図示しない整列固定具による）してから、蓋部２２で開口部２１を塞ぎ、開口部１８ａ，１８ｂにラバープレート２５，２６を固定して、ハーネスの束１０、配管群１１の周りの隙間をラバープレート２５，２６で覆うと、トランク４の貫通部分に設置される。これにより、渡り部材であるハーネスの束１０や配管群１１は、トランク４を貫通するように取り付けられる。と同時にハーネスの束１０や配管群１１の貫通する部分は、挿通部品１６、ラバープレート２５，２６による二重シール構造によってシールされる。
【００３１】
すなわち、開口部１８ａに配置されたラバープレート２５は、雨天走行時、前輪２ａから巻き上がる水などが、ハーネスの束１０や配管群１１とシール用開口２７の開口縁間から侵入するのを防ぐ。このとき、この一重目のシールをなすラバープレート２５を通過して外部の水が本体部１７内に侵入しても、二重目のシールをなすラバープレート２６との間は、かなりの距離で隔てられているから、開口部１８ｂへは行き届きにくい。たとえ本体部１７内に侵入した水が行き届いたとしても、開口部１８ｂには二重目のシールをなすラバープレート２６が設けられているから、外部からの水がトランク内部へ侵入するのを防げる。
したがって、特殊な部品、特殊な部品、特殊な構造を用いず、筒形の挿通部品１６、ラバープレート２５，２６（侵入抑制プレート）を組み合わせた簡単な一般的な構造がもたらす二重シール構造だけで、渡り部材の貫通するトランク４の貫通部分に高いシール性を確保することができる。
【００３２】
しかも、図３にも示されるように挿通部品１６の底部に、トランク４とは反対側へ向って下る傾斜面３５を形成し、ラバープレート２５に排出部３７を形成して、本体部１７内に侵入した水を傾斜面３５で排出部３７へ導き外部に排出させると、本体部１７内に侵入した水は、ラバープレート２６側、すなわちトランク４内へは向わないから、一層、効果的に水の侵入からトランク４を守ることができる。そのうえ、ラバープレート２６の負担が抑えられるので、図４および図５に示されるようにラバープレート２６は、下部から水が流出しないですむ、下端側だけを開口部１８ｂの縁部に密接させるだけのシール構造でよく、一層、簡単な構造ですむ。
【００３３】
特に挿通部品１６は、ハーネスの束１０や配管群１１を一度に挿通させる箱形の本体部１７から構成し、開口部１８ａ，１８ｂのシールには、ハーネスの束１０や配管群１１の挿通する部分を開口させたラバープレート２５，２６を用いると、より簡単な一般部品を組み合わせた構造、さらには一層、安価にして、トランク４内への水の侵入を防ぐことができる。
【００３４】
なお、本発明は上述した一実施形態に限定されるものではなく、本発明の主旨を逸脱しない範囲内で種々可変して実施しても構わない。例えば一実施形態では、本発明を、トランクの前輪側に配置されている側壁の貫通部分の防水に適用したが、これに限らず、トランクの後輪側に配置されている側壁の貫通部分の防水に適用してもよい。
【符号の説明】
【００３５】
１  車体
４  トランク
６ａ  側壁
１０，１１  ハーネスの束、配管群（複数の渡り部材）
１５ａ  侵入防止構造
１６  筒形の挿通部品
１７  本体部
１８ａ，１８ｂ  開口部
２５，２６  ラバープレート（ラバー製のプレート：侵入抑制プレート）
３５  傾斜面
３７  排出部
【図１】
2012131322.tif 000003
【図２】
2012131322.tif 000004
【図３】
2012131322.tif 000005
【図４】
2012131322.tif 000006
【図５】
2012131322.tif 000007
【図６】
2012131322.tif 000008